(57)【要約】【課題】正当な利用者に正当に利用されたかなどを事後に確認することができる構造の画像処理装置を提供する。【解決手段】利用者の認証に対応してデータ処理部１１０の作動が制限され、利用者が認証されてデータ処理部１１０が作動したことが記録されることにより、その記録により正当な利用者に正当に利用されたのかなどを事後に確認することなどができるので、セキュリティ性を向上させることができる。【選択図】図１
2008118363.tif 000002
【特許請求の範囲】
【請求項１】
複数の利用者に利用される画像処理装置であって、
画像データを生成して出力するデータ処理部と、
複数の前記利用者ごとに識別データを内包したユーザデータを記憶するデータ記憶部と、
前記利用者による前記識別データの入力を受け付ける識別入力部と、
入力された前記識別データと記憶されている前記識別データとを照合して前記利用者を認証するユーザ認証部と、
前記利用者の認証に対応して前記データ処理部の作動を制限する作動制限部と、
前記利用者が認証されて前記データ処理部が作動したことを記録する作動記録部と、
を有する画像処理装置。
【請求項２】
前記作動記録部は、
現在日時を常時検出している日時検出部と、
前記データ処理部の作動日時ごとに作動内容と認証された前記ユーザデータの少なくとも一部とを記録した履歴データを生成する履歴生成部と、
生成された前記履歴データを蓄積する履歴蓄積部と、
を有する請求項１に記載の画像処理装置。
【請求項３】
前記作動記録部は、
現在日時を常時検出している日時検出部と、
前記データ処理部の作動日時ごとに作動内容と認証された前記ユーザデータの少なくとも一部とを記録した履歴データを生成する履歴生成部と、
生成された前記履歴データを外部送信する履歴送信部と、
を有する請求項１または２に記載の画像処理装置。
【請求項４】
前記データ処理部は、前記画像データを印刷用紙に印刷出力する機能があり、
前記作動記録部は、前記画像データが印刷出力される前記印刷用紙に認証された前記ユーザデータの少なくとも一部も印刷出力させる請求項１ないし３の何れか一項に記載の画像処理装置。
【請求項５】
前記データ処理部は、前記画像データを外部にファクシミリ送信する機能があり、
前記作動記録部は、ファクシミリ送信される前記画像データに認証された前記ユーザデータの少なくとも一部も付与させる請求項１ないし４の何れか一項に記載の画像処理装置。
【請求項６】
前記データ記憶部は、ファクシミリ送信される前記画像データに複数の前記利用者で共通に付与される共通データも記憶し、
前記データ処理部は、外部にファクシミリ送信する前記画像データに前記共通データを付与し、
前記作動記録部は、ファクシミリ送信される前記画像データの前記共通データに前記ユーザデータの少なくとも一部を組み込む請求項５に記載の画像処理装置。
【請求項７】
前記データ記憶部は、ファクシミリ送信の電話番号が登録されている前記ユーザデータも記憶し、
前記データ処理部は、認証された前記ユーザデータに登録されている前記電話番号を表示し、表示された前記電話番号を選定する操作に対応して前記画像データをファクシミリ送信する請求項５または６に記載の画像処理装置。
【請求項８】
前記データ処理部は、複数の機能を有し、
前記データ記憶部は、前記データ処理部の複数の機能ごとの制限が登録された前記ユーザデータを記憶し、
前記作動制限部は、認証された前記ユーザデータの登録内容に対応して前記データ処理部の複数の機能を制限する請求項１ないし７の何れか一項に記載の画像処理装置。
【請求項９】
前記データ処理部は、各種の動作設定に対応して機能し、
前記データ記憶部は、前記データ処理部の各種の動作設定が登録された前記ユーザデータを記憶し、
前記作動制限部は、認証された前記ユーザデータの登録内容に対応して前記データ処理部を動作設定する請求項１ないし７の何れか一項に記載の画像処理装置。
【請求項１０】
前記データ処理部は、各種の入力操作に対応して機能し、
前記データ記憶部は、前記データ処理部への入力操作の少なくとも一部が登録された前記ユーザデータを記憶し、
前記作動制限部は、認証された前記ユーザデータの登録内容で前記データ処理部への入力操作の少なくとも一部を実行する請求項１ないし７の何れか一項に記載の画像処理装置。
【請求項１１】
前記データ処理部は、前記利用者ごとの認証データを記憶していて前記利用者をネットワーク認証する外部処理装置と通信ネットワークでデータ通信し、
前記データ記憶部は、前記認証データが登録された前記ユーザデータを記憶し、
前記ユーザ認証部は、前記識別データが整合した前記ユーザデータの認証データを前記データ処理部に送信させて前記外部処理装置にネットワーク認証させ、
前記作動制限部は、前記ネットワーク認証に対応して前記データ処理部のデータ通信を制限する請求項１ないし１０の何れか一項に記載の画像処理装置。
【請求項１２】
前記データ記憶部は、前記識別データとして前記利用者の生体データが登録されているユーザデータを記憶し、
前記識別入力部は、前記利用者から前記生体データの入力を受け付け、
前記ユーザ認証部は、入力された前記生体データと記憶されている前記生体データとを照合する請求項１ないし１１の何れか一項に記載の画像処理装置。
【発明の詳細な説明】
【技術分野】
【０００１】
本発明は、複数の利用者に利用されるファクシミリ装置や複写機やＭＦＰ(Multi Function Peripherals)等の画像処理装置に関する。
【背景技術】
【０００２】
現在、オフィスなどの環境では、ファクシミリ装置や複写機やＭＦＰ等の画像処理装置が複数の利用者に利用されている。しかし、登録データのセキュリティなどの鑑定から、その画像処理装置が外部の第三者に利用されることは好ましくないことがある。
【０００３】
そこで、現在のＭＦＰ等の画像処理装置には、利用者の識別データを事前に登録しておき、その識別データで利用者を認証して機能を制限する製品がある(例えば、特許文献１〜３参照)。
【特許文献１】特開２００１−０４５１９２号公報
【特許文献２】特開２００１−２５５７９５号公報
【特許文献３】特開２０００−２７６０１８号公報
【発明の開示】
【発明が解決しようとする課題】
【０００４】
しかし、従来の画像処理装置では、悪意の第三者が正当な利用者の識別データを入手すると、自由に利用することができる。そして、このように画像処理装置が悪意の第三者に利用されたことを、事後に確認することなどが困難である。
【０００５】
また、正当な利用者により画像処理装置が私用などで不当に利用されることもある。しかし、このような場合も、従来の画像処理装置では、利用が正当なのか不当なのか事後に確認することなどが困難である。
【０００６】
本発明は上述のような課題に鑑みてなされたものであり、正当な利用者に正当に利用されたのかなどを事後に確認することなどができる画像処理装置を提供するものである。
【課題を解決するための手段】
【０００７】
本発明の画像処理装置は、複数の利用者に利用される画像処理装置であって、画像データを生成して出力するデータ処理部と、複数の利用者ごとに識別データを内包したユーザデータを記憶するデータ記憶部と、利用者による識別データの入力を受け付ける識別入力部と、入力された識別データと記憶されている識別データとを照合して利用者を認証するユーザ認証部と、利用者の認証に対応してデータ処理部の作動を制限する作動制限部と、利用者が認証されてデータ処理部が作動したことを記録する作動記録部と、を有する。
【０００８】
従って、本発明の画像処理装置では、利用者の認証に対応してデータ処理部の作動が制限され、利用者が認証されてデータ処理部が作動したことが記録されるので、その記録により正当な利用者に正当に利用されたのかなどを事後に確認することなどができる。
【０００９】
なお、本発明で云う各種の構成要素は、その機能を実現するように形成されていればよく、例えば、所定の機能を発揮する専用のハードウェア、所定の機能がコンピュータプログラムにより付与された画像処理装置、コンピュータプログラムにより画像処理装置に実現された所定の機能、これらの任意の組み合わせ、等として実現することができる。
【００１０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１１】
本発明の画像処理装置では、利用者の認証に対応してデータ処理部の作動が制限され、利用者が認証されてデータ処理部が作動したことが記録されることにより、その記録により正当な利用者に正当に利用されたのかなどを事後に確認することなどができるので、セキュリティ性を向上させることができる。
【発明を実施するための最良の形態】
【００１２】
本発明の実施の一形態を図面を参照して以下に説明する。本実施の形態の画像処理装置は、いわゆるＭＦＰ１００であり、複数の利用者に利用される。ＭＦＰ１００は、図１に示すように、画像データを生成して出力するデータ処理部１１０と、複数の利用者ごとに識別データを内包したユーザデータを記憶するデータ記憶部１２０と、利用者による識別データの入力を受け付ける識別入力部１３０と、入力された識別データと記憶されている識別データとを照合して利用者を認証するユーザ認証部１４０と、利用者の認証に対応してデータ処理部１１０の作動を制限する作動制限部１５０と、利用者が認証されてデータ処理部１１０が作動したことを記録する作動記録部１６０と、を有する。
【００１３】
より詳細には、データ処理部１１０は、複数の機能を有し、データ記憶部１２０は、データ処理部１１０の複数の機能ごとの制限が登録されたユーザデータを記憶する。作動制限部１５０は、認証されたユーザデータの登録内容に対応してデータ処理部１１０の複数の機能を制限する。
【００１４】
また、データ記憶部１２０は、識別データとして利用者の生体データである指紋画像が登録されているユーザデータを記憶する。識別入力部１３０は、利用者から指紋画像の入力を受け付ける。ユーザ認証部１４０は、入力された指紋画像と記憶されている指紋画像とを照合する。
【００１５】
また、データ処理部１１０は、原稿画像を外部にファクシミリ送信する機能がある。データ記憶部１２０は、ファクシミリ送信される原稿画像に複数の利用者で共通に付与される共通データも記憶する。
【００１６】
データ処理部１１０は、外部にファクシミリ送信する原稿画像に共通データを付与する。作動記録部１６０は、ファクシミリ送信される原稿画像の共通データに認証されたユーザデータの少なくとも一部を組み込む。
【００１７】
作動記録部１６０は、現在日時を常時検出している日時検出部１６１と、データ処理部１１０の作動日時ごとに作動内容とユーザデータの少なくとも一部とを記録した履歴データを生成する履歴生成部１６２と、生成された履歴データを蓄積する履歴蓄積部１６３と、を有する。
【００１８】
本実施の形態のＭＦＰ１００は、操作パネル、ディスプレイパネル、原稿スキャナ、指紋スキャナ、プリンタユニット、外部通信ユニット、コンピュータユニット、等をハードウェアとして有する(図示せず)。
【００１９】
操作パネルは、各種の入力操作を受け付ける。ディスプレイパネルは、各種データを表示出力する。指紋スキャナは、利用者の指先を読取走査して生体データである指紋画像を生成する。原稿スキャナは、読取原稿を読取走査して画像データである原稿画像を生成する。
【００２０】
プリンタユニットは、例えば、原稿スキャナで生成された原稿画像や、外部通信ユニットで外部受信された画像データを、印刷出力する。外部通信ユニットは、例えば、原稿スキャナで生成された画像データを外部送信したり、画像データを外部受信してプリンタユニットに転送する。
【００２１】
コンピュータユニットは、ＣＰＵ(Central Processing Unit)、ＲＯＭ(Read Only Memory)、ＲＡＭ(Random Access Memory)、等からなる。コンピュータユニットは、所定のコンピュータプログラムが実装されており、上述した各部が接続されている。コンピュータユニットは、コンピュータプログラムに対応して接続されている各部の統合制御などを実行する。
【００２２】
このようにコンピュータユニットがコンピュータプログラムに対応して各部を統合制御することなどにより、本実施の形態のＭＦＰ１００は、前述した各部１１０〜１６０を各種機能として論理的に有する。
【００２３】
つまり、データ処理部１１０は、コンピュータユニットが原稿スキャナやプリンタユニットや外部通信ユニットを統合制御する機能などに相当する。データ記憶部１２０は、コンピュータユニットのＲＡＭの記憶エリアなどに相当する。
【００２４】
識別入力部１３０は、コンピュータユニットが指紋スキャナを動作制御する機能などに相当する。ユーザ認証部１４０は、コンピュータユニットが所定のデータ処理を実行する機能などに相当する。
【００２５】
作動制限部１５０も、コンピュータユニットが原稿スキャナやプリンタユニットや外部通信ユニットを統合制御する機能などに相当する。作動記録部１６０も、コンピュータユニットが所定のデータ処理を実行する機能などに相当する。
【００２６】
上述のような構成において、本実施の形態のＭＦＰ１００は、図４に示すように、ユーザ認証の有無により、一般モードとユーザモードが切換自在に設定され、これらのモード設定により利用できる機能の制限などが変化する。
【００２７】
より詳細には、ＭＦＰ１００は、例えば、管理者により利用者ごとのユーザデータが登録されている。このユーザデータは、例えば、ユーザ氏名、指紋画像、機能制限の設定データ、等からなる。
【００２８】
ＭＦＰ１００は、一般モードがデフォルト設定されている(ステップＳ２)。このとき、ディスプレイパネルには"一般モードで動作します。ユーザモードで使用する場合は指紋スキャナに指先を置いてスタートスイッチを押してください"などのガイダンスメッセージが常時表示されている(ステップＳ１)。
【００２９】
そこで、正当な利用者がユーザモードでＭＦＰ１００を利用するときは、指先を指紋スキャナに載置して読取走査させる(ステップＳ３，Ｓ４)。すると、これで指紋画像が生成され、記憶されているユーザデータの指紋画像と照合される(ステップＳ５)。
【００３０】
これで指紋画像が整合して利用者がユーザ認証されると(ステップＳ６)、動作モードが一般モードからユーザモードに切り換えられる(ステップＳ８)。このとき、"××さんが認証されました。ユーザモードで動作します。ログアウトするときはリセットスイッチを押してください"などのガイダンスメッセージが表示される(ステップＳ７)。
【００３１】
なお、指紋画像が整合せず利用者がユーザ認証されないと(ステップＳ６)、"ユーザ認証に失敗しました。一般モードで動作します。ユーザモードで使用する場合は指紋スキャナに指先を置いてスタートスイッチを押してください"などのガイダンスメッセージが表示される(ステップＳ１)。このとき、動作モードは一般モードに設定されたままとなる(ステップＳ２)。
【００３２】
また、ユーザモードが設定されたときも、操作パネルに所定の入力操作が実行されると、ユーザモードが終了されて一般モードに復帰する(ステップＳ９，Ｓ２)。さらに、ユーザモードが設定されたまま、所定時間まで入力操作がないと、自動的にユーザモードが終了されて一般モードに復帰する(ステップＳ１０，Ｓ２)。
【００３３】
本実施の形態のＭＦＰ１００では、一般モードやユーザモードでファクシミリ送信などの各種の動作を実行することができる。例えば、ファクシミリ送信を実行するときは、利用者は読取原稿を原稿スキャナに装填し(図示せず)、操作パネルで所定の入力操作を実行する。
【００３４】
すると、図５に示すように、これを検知したＭＦＰ１００では(ステップＴ１)、読取原稿から原稿画像が読取走査される(ステップＴ２，Ｔ３)。つぎに、「ＸＹＺ(株)〜」などの共通データが読み出され、図２に示すように、これがＴＴＩ(Transmit Terminal Identification)として原稿画像に付与される(ステップＴ４)。
【００３５】
このとき、動作モードがユーザモードであると(ステップＴ５)、そのユーザデータからユーザ氏名も読み出され、図２(ｂ)に示すように、これがＴＴＩに組み込まれる(ステップＴ６)。
【００３６】
そこで、このような原稿画像がファクシミリ送信される(ステップＴ７)。このファクシミリ送信が完了すると、図３に示すように、作動日時ごとに作動内容やユーザ氏名が記録された履歴データが生成されて登録される(ステップＴ８，Ｔ９)。
【００３７】
なお、一般モードでファクシミリ送信が実行されるときは(ステップＴ５)、図２(ｂ)に示すように、原稿画像に付与されるＴＴＩにユーザ氏名が組み込まれない。そこで、このような原稿画像がファクシミリ送信される(ステップＴ７)。
【００３８】
このファクシミリ送信が完了すると、やはり履歴データが生成されて登録される(ステップＴ８，Ｔ９)。このとき、作動日時ごとに作動内容が記録されている履歴データが生成されるが、そのユーザ氏名は空欄となる。
【００３９】
本実施の形態のＭＦＰ１００では、上述のように利用者をユーザ認証することにより、データ処理部１１０の作動を制限することができる。例えば、一般モードでは複写動作を禁止し、ユーザモードでも一部の利用者には複写動作を禁止するようなことができる。
【００４０】
このような場合、図６に示すように、ユーザ認証された利用者にも、その機能が禁止されていることを通知できる。このため、正当な利用者にも、利用できる機能と利用できない機能を周知させることができる。
【００４１】
さらに、本実施の形態のＭＦＰ１００では、利用者が認証されてデータ処理部１１０が作動したことが記録される。このため、例えば、悪意の第三者が不当にユーザ認証してＭＦＰ１００を利用したときや、正当な利用者がＭＦＰ１００を不当に利用したような場合でも、これらを履歴データにより確認することなどができる。このため、ＭＦＰ１００の不当な利用を抑止することができるので、そのセキュリティ性を向上させることができる。
【００４２】
特に、ユーザ認証されない状態でも、ユーザ氏名が空欄の履歴データが生成される。このため、ユーザ認証された状態での利用とともに、ユーザ認証されない状態での利用も確認することができる。
【００４３】
しかも、ファクシミリ送信される原稿画像に、ユーザ認証されたユーザデータのユーザ氏名がＴＴＩとして付与される。このため、ファクシミリ送信した利用者のユーザ氏名を送信先に自動的に明瞭に通達することができる。
【００４４】
特に、ユーザ認証されない状態でも、ユーザ氏名が空欄のＴＴＩが原稿画像に付与される。ユーザ認証された状態でのファクシミリ送信か、ユーザ認証されない状態でのファクシミリ送信かを、送信先でも確認することができる。
【００４５】
しかも、上述のようにユーザ氏名が空欄の履歴データ、ユーザ氏名が組み込まれていないＴＴＩは、従来のＭＦＰでも生成されている。換言すると、本実施の形態のＭＦＰ１００は、既存の製品を改造することで容易に実施することができる。
【００４６】
さらに、ユーザ認証する利用者ごとの識別データが指紋画像からなる。このため、正当な利用者は、煩雑な入力操作などを必要とすることなくユーザ認証することができる。また、悪意の第三者が不当にユーザ認証することが困難である。
【００４７】
なお、本発明は本実施の形態に限定されるものではなく、その要旨を逸脱しない範囲で各種の変形を許容する。例えば、上記形態では原稿画像を生成して出力する画像処理装置としてＭＦＰ１００を例示した。しかし、画像処理装置がパーソナルコンピュータやスキャナ装置などからなってもよい。
【００４８】
また、上記形態ではＭＦＰ１００が利用者ごとの識別データとして生体データである指紋画像を取得することを例示した。しかし、生体データとして掌紋画像や眼紋画像や発声音声を取得してもよく、識別データとしてパスワードの入力操作を受け付けてもよい。
【００４９】
さらに、上記形態ではＭＦＰ１００に蓄積された履歴データが記録された順番で出力されることを例示した。しかし、図７に示すように、ユーザデータのユーザ氏名や識別データごとに履歴データを記録したり出力してもよい。
【００５０】
その場合、ＭＦＰ１００のように多機能な画像処理装置では、図示するように、その複数の機能の履歴データをユーザデータごとに記録したり出力することがよい。この場合、その利用者による画像処理装置の利用形態を全体的に確認することができる。
【００５１】
また、上記形態では履歴データがＭＦＰ１００の内部に蓄積されることを例示した。しかし、履歴データが生成されるごとに外部送信されてもよい。例えば、ＭＦＰ１００の外部に、管理者が管理しているデータベースサーバがあるような場合、そこに履歴データを外部送信する(図示せず)。
【００５２】
これでデータベースサーバには複数のＭＦＰ１００から履歴データを収集して蓄積することができ、例えば、不当な履歴データをデータベースサーバで検出して該当のＭＦＰ１００を迅速に調査するようなことも可能となる。
【００５３】
同様に、履歴データを管理者のパーソナルコンピュータに電子メールで送信してもよい。さらに、支社に設置されているＭＦＰ１００から履歴データを本社のファクシミリ装置にファクシミリ送信するようなこともできる(ともに図示せず)。
【００５４】
また、上記形態ではＭＦＰ１００で原稿画像がファクシミリ送信されるときに、そのＴＴＩとしてユーザデータの一部が付与されることを例示した。しかし、ＭＦＰ１００で読取原稿が複写印刷されるときに、そのヘッダなどとしてユーザデータの一部が付与されてもよい(図示せず)。
【００５５】
さらに、上記形態ではファクシミリ送信の電話番号は利用者が手動で入力操作することを想定した。しかし、データ記憶部１２０が、ファクシミリ送信の電話番号が登録されているユーザデータも記憶してもよい。
【００５６】
そして、データ処理部１１０は、図８に示すように、認証されたユーザデータに登録されている電話番号をディスプレイユニットなどで表示し、表示された電話番号を選定する操作に対応して原稿画像をファクシミリ送信する。
【００５７】
この場合、利用者は頻繁に使用するファクシミリ番号を毎回入力する必要がなくなるので、その利便性が向上する。さらに、他の利用者のファクシミリ番号を誤入力することもないので、間違いファクシミリの発生を防止することができる。
【００５８】
なお、ユーザモードでは、ユーザデータに登録されているファクシミリ番号しか利用できないようにすることや、一般モードではファクシミリ送信を禁止するようなこともできる。
【００５９】
また、上記形態ではＭＦＰ１００の複数の機能が利用者ごとに制限されることを例示した。しかし、ＭＦＰ１００のデータ処理部１１０が各種の動作設定に対応して機能し、その各種の動作設定が登録されたユーザデータをデータ記憶部１２０が記憶し、認証されたユーザデータの登録内容に対応して作動制限部１５０がデータ処理部１１０を動作設定してもよい。
【００６０】
この場合、ユーザ認証によりＭＦＰ１００の動作設定を自動的に実行することができる。従って、正当な利用者は、煩雑な入力操作を必要とすることなく自身に最適な状態にＭＦＰ１００を動作設定することができる。
【００６１】
同様に、データ処理部１１０は、各種の入力操作に対応して機能し、データ記憶部１２０は、データ処理部１１０への入力操作の少なくとも一部が登録されたユーザデータを記憶し、作動制限部１５０は、認証されたユーザデータの登録内容でデータ処理部１１０への入力操作の少なくとも一部を実行してもよい。
【００６２】
この場合、ユーザ認証によりＭＦＰ１００への所定の入力操作を自動的に実行することができる。従って、正当な利用者は、煩雑な入力操作を必要とすることなくＭＦＰ１００の動作設定などを実行することができる。
【００６３】
さらに、上記形態ではＭＦＰ１００の内部でユーザ認証が完了することを例示した。しかし、図９に示すように、ＭＦＰ１００が外部処理装置２００と通信ネットワークでデータ通信してもよい。
【００６４】
この外部処理装置２００は、例えば、利用者ごとの認証データを記憶しているデータベースサーバであり、利用者をネットワーク認証する。そこで、ＭＦＰ１００のデータ記憶部１２０は、認証データが登録されたユーザデータを記憶する。
【００６５】
さらに、ユーザ認証部１４０は、識別データが整合したユーザデータの認証データをデータ処理部１１０に送信させて外部処理装置２００にネットワーク認証させ、作動制限部１５０は、ネットワーク認証に対応してデータ処理部１１０のデータ通信を制限する。
【００６６】
この場合、ＭＦＰ１００の内部でのユーザ認証に連動して、外部処理装置２００でのネットワーク認証も実行することができる。このため、正当な利用者は、煩雑な入力操作などを必要とすることなく、ネットワーク認証を自動的に完了することができる。
【図面の簡単な説明】
【００６７】
【図１】本発明の実施の形態の画像処理装置であるＭＦＰの論理構造を示す模式的なブロック図である。
【図２】ファクシミリ送信される原稿画像の要部を示す模式的な平面図である。
【図３】履歴データの出力結果を示す模式図である。
【図４】ＭＦＰでモード切換する場合のメインルーチンを示すフローチャートである。
【図５】ＭＦＰでファクシミリ送信する場合のサブルーチンを示すフローチャートである。
【図６】ユーザデータが表示出力された状態を示す模式図である。
【図７】一変形例での履歴データの出力結果を示す模式図である。
【図８】他の変形例でユーザデータが表示出力された状態を示す模式図である。
【図９】さらに他の変形例でＭＦＰが外部処理装置と通信する状態を示す模式図である。
【符号の説明】
【００６８】
１００    ＭＦＰ
１１０    データ処理部
１２０    データ記憶部
１３０    識別入力部
１４０    ユーザ認証部
１５０    作動制限部
１６０    作動記録部
１６１    日時検出部
１６２    履歴生成部
１６３    履歴蓄積部
２００    外部処理装置
【図１】
2008118363.tif 000003
【図２】
2008118363.tif 000004
【図３】
2008118363.tif 000005
【図４】
2008118363.tif 000006
【図５】
2008118363.tif 000007
【図６】
2008118363.tif 000008
【図７】
2008118363.tif 000009
【図８】
2008118363.tif 000010
【図９】
2008118363.tif 000011